(57)【要約】少なくとも一つの膨張していない状態の膨張式又は伸長可能な、インイヤー機器（１６）の上の内側部材（１４）を支持するための、ヘッドマウント型の支持手段（１０）は、以下の構成を備えている。即ち、使用者の頭部（Ｈ）に調節可能に搭載される本体部（３０）と、本体部（３０）上に取り付けられている、少なくとも一つの設定可能な構成材料送り出し手段（１２）と、インイヤー機器の膨張式内側部材（１４）を受け入れる少なくとも一つの受入口（３２）とを備えている。本発明はまた、カスタマイズされたインイヤー機器の内側部材（１４）をその上に受け入れるイヤホン線アセンブリ（４２）と共に、ヘッドマウント型の調整可能な構成材料送り出しシステムのキット（４０）を開示する。【選択図】図１Ａ
2013516116.tif 000002
【特許請求の範囲】
【請求項１】
インイヤー機器（１６）の上の少なくとも一つの膨張していない状態の膨張式内側部材（１４）を支持するための、ヘッドマウント型の支持手段（１０）であって、
−  使用者の頭部（Ｈ）に搭載され、少なくとも一つのインイヤー機器の受入口（３２）を備えている本体部（３０）であって、前記受入口（３２）はそこに少なくとも一つの、インイヤー機器（１６）の膨張していない状態の膨張式内側部材（１４）を着脱可能に受け入れるためのものである、本体部（３０）と、
−  前記本体部（３２）上に取り付けられている少なくとも一つの設定可能な構成材料送り出し手段（１２）であって、少なくとも一つのインイヤー機器受入口（３２）を経由して、インイヤー機器（１６）の膨張式内側部材（１４）に設定可能な構成材料を送り届けるための設定可能な構成材料送り出し手段（１２）と、
を備えていることを特徴とするヘッドマウント型の支持手段。
【請求項２】
前記本体部（３０）が、前記手段（）を使用者の頭部（Ｈ）の上に調節可能に搭載するための調節機構（３４）を備えていることを特徴とする請求項１記載のヘッドマウント型の支持手段（１０）。
【請求項３】
前記少なくとも一つの設定可能な構成材料送り出し手段（１２）が、前記本体部（３０）に着脱可能に取り付けられていることを特徴とする請求項１記載のヘッドマウント型の支持手段（１０）。
【請求項４】
前記本体部（３０）が、使用者の頭部（Ｈ）の上での調整のためにお互いに対して可動に取り付けられている、二つの側方部分（３０’）を備えていることを特徴とする請求項１記載のヘッドマウント型の支持手段（１０）。
【請求項５】
それぞれの前記側方部分（３０’）が、自己注入を行う設定可能な構成材料送り出し手段（１２）とインイヤー機器受入口（３２）とを有していることを特徴とする請求項４記載のヘッドマウント型の支持手段（１０）。
【請求項６】
それぞれの、それぞれの設定可能な構成材料送り出し手段（１２）が、それぞれの前記側方部分（３０’）に、着脱可能に取り付けられていることを特徴とする請求項５記載のヘッドマウント型の支持手段（１０）。
【請求項７】
ヘッドマウント型の設定可能な構成材料の送り出しシステムのキット（４０）であって、
−  使用者の頭部（Ｈ）に搭載されるための本体部（３０）を含み、且つ少なくとも一つのインイヤー機器の受入口（３２）を有しているヘッドマウント型の支持部材（１０）と、
−  前記少なくとも一つの受入口（３２）に取り付け可能なインイヤー機器（１６）の膨張していない状態の膨張式内側部材（１４）と、
−  前記本体部（３０）上に取り付けられている、少なくとも一つの設定可能な構成材料送り出し手段（１２）であって、少なくとも一つのインイヤー機器受入口（３２）を経由して、インイヤー機器（１６）の膨張式内側部材（１４）に設定可能な構成材料を送り届けるための設定可能な構成材料送り出し手段（１２）と、
を備えていることを特徴とするヘッドマウント型の設定可能な構成材料の送り出しシステムのキット。
【請求項８】
前記本体部（３０）が、前記手段（１０）を使用者の頭部（Ｈ）の上に調節可能に搭載するための調節機構（３４）を備えていることを特徴とする請求項７記載のキット（４０）。
【請求項９】
前記少なくとも一つの設定可能な構成材料送り出し手段（１２）が、前記本体部（３０）に着脱可能に取り付けられていることを特徴とする請求項７記載のキット（４０）。
【請求項１０】
前記本体部（３０）が、使用者の頭部（Ｈ）の上での調整のためにお互いに対して可動に取り付けられている、二つの側方部分（３０’）を備えていることを特徴とする請求項７記載のキット（４０）。
【請求項１１】
それぞれの前記側方部分（３０’）が、設定可能な構成材料送り出し手段（１２）とインイヤー機器の受入口（３２）とを有しており、且つそれぞれのインイヤー機器の受入口（３２）のための、前記インイヤー機器（１６）の少なくとも一つの膨張していない状態の膨張式の内側部材（１４）を有していることを特徴とする請求項１０記載のキット（４０）。
【請求項１２】
それぞれの前記設定可能な構成材料送り出し手段（１２）が、それぞれの前記側方部分（３０’）に、着脱可能に取り付けられていることを特徴とする請求項１１記載のキット（４０）。
【請求項１３】
前記キット（４０）が、イヤホン線アセンブリ（４２）を備えており、
前記イヤホン線アセンブリ（４２）は、遠位末端（４６）に音声機器と接続するための音声用コネクタ（４４）を有しており、且つ近接末端（４８）にインイヤー機器（１６）の膨張した内側部材（１４）と機械的に接続可能である少なくとも一つの外側部材（１５）を有していることを特徴とする請求項７記載のキット（４０）。
【請求項１４】
前記インイヤー機器の外側部材（１５）は、前記インイヤー機器の膨張した内側部材（１４）に、着脱可能な状態で接続可能であることを特徴とする請求項１３記載のキット（４０）。
【請求項１５】
インイヤー機器（１６）の前記外側部材（１５）は、その中に能動部品（５０）を含んでいることを特徴とする請求項１４記載のキット（４０）。
【請求項１６】
前記能動部品（５０）は、インイヤー機器の前記外側部品（１５）の中に着脱可能に取り付けられていることを特徴とする請求項１５記載のキット（４０）。
【請求項１７】
イヤホン線アセンブリ（４２）であって、
遠位末端（４６）に音声機器と接続するための音声用コネクタ（４４）を有しており、且つ近接末端（４８）にインイヤー機器（１６）の少なくとも一つの外側部材（１５）を有しており、
前記インイヤー機器の外側部材（１５）がインイヤー機器（１６）の内側部材（１４）と接続されることを特徴とするイヤホン線アセンブリ（４２）。
【請求項１８】
前記インイヤー機器の外側部材（１５）は、インイヤー機器の膨張式の内側部材（１４）に、着脱可能な状態で接続可能であることを特徴とする請求項１７記載のイヤホン線アセンブリ（４２）。
【請求項１９】
インイヤー機器（１６）の前記外側部材（１５）は、その中に能動部品（５０）を含んでいることを特徴とする請求項１８記載のイヤホン線アセンブリ（４２）。
【請求項２０】
前記能動部品（５０）は、インイヤー機器の前記外側部品（１５）の中に着脱可能に取り付けられていることを特徴とする請求項１９記載のイヤホン線アセンブリ（４２）。
【発明の詳細な説明】
【技術分野】
【０００１】
発明の分野
本発明は、外耳道の中での適切なフィット感（適合性）を提供するために膨張式（膨らませることが可能）である、例えば耳内の聴覚保護具（耳せん）、イヤホン、または補聴器のようなインイヤー機器（耳の内側に装着する型の素子）に関する。特に、対応する使用者の外耳道の外側に適切な位置でインイヤー機器を保持している間に、インイヤー機器に設定可能な構成材料（化学成分、構成要素）を注入するためのヘッドマウント型（頭部搭載型）の支持手段に関連する。
【背景技術】
【０００２】
発明の背景
インイヤー機器という用語には、能動素子も受動素子も含まれる。これらの機器（素子）の全部又は少なくとも一部の、使用者の外耳道に挿入される機器には、音の生成、増幅、または抑制のための手段を含むことが可能である。このような素子は、米国特許６，７５４，３５７号と６，３３９，６４８号に記載されており（その両方について、ここにその全体を参照により引用する）、その素子には、剛体又は半剛体の中央の中心構成要素が、この素子の最も内側の部分を覆う伸長可能な被覆部材（伸縮性の鞘部）と共に提供される。
【０００３】
伸長可能な被覆部材の適切な伸長を確実にするための、設定可能な構成材料の送り出しシステムまたは装置は、同時係属出願の米国特許出願番号第１２／９２３，６９６号、及び２０１０年１０月５日に出願の第１２／９２３，６９８号（この両方について、ここにその全体を参照により引用する）にて説明したように、２０１０年１０月５日に出願の同時係属米国特許出願番号第１２／９２３，６９７号（それについて、ここにその全体を参照により引用する）にて説明したインイヤー機器の内側部分と共に、使用者の彼自身／彼女自身による使用のために最適である。それにもかかわらず、この目的を達成するために、インイヤー機器の使用者自身によるカスタマイズ（仕様変更）のために支持手段が要求されている。
【０００４】
産業への適用領域において、訓練された技術者が関与することなく、補聴器、聴覚保護具の分野（適用）、および専用の音響伝達機器のいずれにおいても、安定した結果を達成するための適切なフィット感を得ることが、重要である。
【０００５】
従って、伸長可能な膨張式のインイヤー機器用の、設定可能な構成材料の送り出しシステムを支持するための、改良されたヘッドマウント型の支持手段が必要となっている。
【先行技術文献】
【特許文献】
【０００６】
【特許文献１】米国特許第６，７５４，３５７号公報
【特許文献２】米国特許第６，３３９，６４８号公報
【特許文献３】米国特許出願第１２／９２３，６９６号
【特許文献４】米国特許出願第１２／９２３，６９８号
【特許文献５】米国特許出願第１２／９２３，６９７号
【発明の概要】
【発明が解決しようとする課題】
【０００７】
（本発明の概要）
従って、全体的な目的として、本発明は、限定事項と上記で議論された課題を克服する、膨張式のインイヤー機器の中に構成材料を注入するための設定可能な構成材料の送り出しシステムを支持するための、改良されたヘッドマウント型の支持手段に関する。
【課題を解決するための手段】
【０００８】
本発明の一つの効果は、訓練された技術者の関与を要求することなく、使用者によって彼又は彼女らの頭部で、インイヤー機器をカスタマイズする前にこの膨張していない状態の膨張式インイヤー機器の好適な位置決めを簡単に調整できる、改良されたヘッドマウント型支持手段を提供することにある。
【０００９】
本発明の他の効果は、ヘッドマウント型支持手段に、インイヤー機器のカスタマイズされた設定を提供するための、小型化されて一体化されたシステム（単一システム）を提供することにある。
【００１０】
本発明の更なる他の効果は、ヘッドマウント型支持手段に、膨張式のインイヤー機器又はその内側部材に対して適切な方向付けを可能とすることである。典型的には、その方向付けは、好ましい前方角度方向と上方角度方向への方向付けである。選択的には、インイヤー機器又はその内側部材の膨張の間、そのインイヤー機器又はその内側部材に必要な目標圧力を維持する期間、制限されたバイアスのかかった（偏った）ジンバル接続が使用される。
【００１１】
本発明のもう一つの効果は、それが要求されるときはいつでも、インイヤー機器の異なるセットを同様に使用することを繰り返すために、設定可能な構成材料の送り出しシステムと、好ましくは膨張式のインイヤー機器の内側部材と、を着脱可能に支持するヘッドマウント型の支持手段を提供するということである。
【００１２】
本発明の更なる効果は、ヘッドマウント型の支持手段が、使用者自身による次に続く段階的な一連の命令によって、使用され動作することが可能であるという点である。段階的な一連の命令は、設定可能な構成材料の注入をその中に行う前のインイヤー機器の好適な位置決めを原位置（自然位）で助けるために、音声聞き取りの調整又は音声配信システムを含むことが可能な点である。
【００１３】
本発明の更なるもう一つの効果は、ヘッドマウント型の支持手段が、使用者の頭の上に頭と一体化するために配置が可能で且つ好ましくは調整が可能である、たとえばヘッドバンド等のような、主要な支持構造を含む点である。
【００１４】
本発明のさらにもう一つの効果は、ヘッドマウント型の支持手段が、イヤホン線（イヤホンワイヤ）のアセンブリ（組立品）を含むキット（一揃いの組立部品）の一部であるという点である。このイヤホン線アセンブリは、膨張してカスタマイズされているインイヤー機器の内側部品をインイヤー機器の外側部品の上に取り付けるための組立品である。外側部品には、好ましくは取り外し可能な、及び交換可能な能動部品（動的機器）をその中（スピーカ等として）に含み、そこに組み立てられている。
【００１５】
本発明の一態様によれば、その上にインイヤー機器の少なくとも一つの膨張していない状態の膨張式内側部材を支持するための、ヘッドマウント型の支持手段が提供されている。前記支持手段は、以下の構成を含む。すなわち、
−  使用者の頭部の上に搭載され、少なくとも一つのインイヤー機器の受入口を備えている本体部。この受入口は、そこに、少なくとも一つの、膨張していない状態のインイヤー機器の膨張式内側部材を着脱可能に取り付けるために設けられている。
− 本体部上の、少なくとも一つの設定可能な構成材料送り出し手段。この送り出し手段は、本体部に取り付けられており、少なくとも一つのインイヤー機器受入口を経由して、インイヤー機器の膨張式内側部材に設定可能な構成材料を導入するために設けられている。
【００１６】
好適には、本体部は、前記手段を使用者の頭部に調節可能に搭載するための調節機構を備えている。
【００１７】
典型的には、少なくとも一つの設定可能な構成材料の送り出し手段は、前記本体部に着脱可能に取り付けられる。
【００１８】
一つの実施形態において、本体部は、使用者の頭部の上での調整のために、お互いに対して可動に取り付けられている二つの側方部分を含む。
【００１９】
好適には、それぞれの前記側方部分は、設定可能な構成材料送り出し手段とインイヤー機器受入口とを有している。
【００２０】
典型的には、各々の前記設定可能な構成材料の送り出し手段は、それぞれの前記側方部分に着脱可能に取り付けられる。
【００２１】
本発明の別の態様によれば、膨張式のインイヤー機器の少なくとも一つの内側部材を備えた、上述されているようなヘッドマウント式の支持手段からなる、ヘッドマウント型の設定可能な構成材料の送り出しシステムのキット（一揃いの組立部品）が提供される。
【００２２】
好適には、このキットは、その遠位末端に音声機器と接続するための音声用コネクタ（サウンドジャック）とを有し、且つその近接末端にインイヤー機器の少なくとも一つの外側部材を有している、イヤホン線アセンブリを含む。少なくとも一つの外側部材は、膨張した内側部材に機械的に接続可能である。
【００２３】
典型的には、インイヤー機器の外側部材は、インイヤー機器の膨張した内側部材に、着脱可能な状態で接続可能である。
【００２４】
好適には、インイヤー機器の外側部材は能動部品をその中に含む。そしてこの能動部品は、インイヤー機器の外側部材の中に、好ましくは着脱可能に取り付けられる。
【００２５】
本発明の更なる別の態様では、その遠位末端に音声機器への接続のために音声用コネクタを備えており、且つその近接末端にインイヤー機器の少なくとも一つの外側部材を備えている、イヤホン線アセンブリが提供されており、インイヤー機器の外側部材は、インイヤー機器の内側部材に接続するためにある。
【００２６】
これらの、そして他の、効果及び目的は、添付の図面と関連して以下の詳細な説明を考慮することで明らかになるであろう。
【００２７】
図面の簡単な説明
本発明の更なる態様及び効果は、以下の図面と共に明細書を参照してよりよく理解されるであろう。図面において、異なる図面の中で使用される類似の参照符号は、類似する構成要素を示す。
【図面の簡単な説明】
【００２８】
【図１】図１は、本発明の実施形態に従った、膨張式のインイヤー機器のための設定可能な構成材料送り出しシステムを担持するための、ヘッドマウント型支持手段の概略的な斜視図である。
【図１ａ】図１ａは、本発明に係るヘッドマウント型支持手段のもう一つの実施形態の透視図である。
【図２】図２は、本発明の実施形態に係る膨張式のインイヤー機器を備えたカスタマイズ可能なイヤホン線アセンブリの斜視図である。
【図３】図３は、図２の符号３の線に沿って取り出された部分の拡大分解斜視図である。
【発明を実施するための形態】
【００２９】
図面と以下の記載に示される装置またはシステムは、本発明を具体化した例である。本発明の範囲は添付の請求の範囲によって定義されるものであり、且つ例示的な実施形態の特定の特徴によって定義される必要はないことに留意する必要がある。
【００３０】
図１および１ａを参照すると、少なくとも一つの設定可能な構成材料の送り出し手段１２を支持するための、ヘッドマウント型支持手段１０の二つの実施形態が示される。送り出し手段１２は、典型的には、一般的に剛体で調整可能なヘッドバンド状の支持手段若しくはそのような形状である膨張式インイヤー機器１６の、少なくとも一つの好ましくは内部部材１４（２０１０年１０月５日に出願の同時係属米国特許出願番号第１２／９２３，６９７号に最良として記載されている）のための、圧力調整機構（それぞれ２０１０年１０月５日に出願の同時係属米国特許出願番号第１２／９２３，６９８号と第１２／９２３，６９６号に最良として記載されている（それもまた参照によりここに引用する））を備えている。ヘッドバンド状機器１０は、自己注入を行う（自動注入を行う、自然に注入する）設定可能な構成材料手段１２のために要求される全ての設備を支持する。またその後使用者が、この適合のための注入の後に、接合留め輪１４ａ（インターフェースリテーニングリング、図２及び図３参照）が終端となっているインイヤー機器内側部材１４を取りはずすことができるように、ヘッドバンド状機器１０は、典型的には着脱可能に、右と左の膨張式のインイヤー機器内側部材１４を受け入れるように適合する（典型的には、この部材を外耳道に届くように向けさせる）。図１および１ａに示される支持構造物は、ヘッドバンド状機器１０であるが、本発明の範囲から逸脱することなく、いかなる他の構造も考慮されることができる。典型的には使用者の頭部Ｈ上に実質的に一体化する方法で位置決めされ、膨張式のインイヤー機器内側部材１４と一緒に設定可能な構成材料送り出し手段１２を支持する構造である限り、いかなる他の構造も考慮されることができる。自動注入機器１２を作動させる前に、使用者は、その外耳道（図示せず）の内部で、２つの膨張していない（または未使用である）インイヤー機器内側部１４がそれぞれの耳Ｅの中で適切に配置されることを確実にするように、適切にヘッドバンド状機器１０の位置を調整する。
【００３１】
ヘッドマウント型装置１０は、一又は二以上の膨張式のインイヤー機器１６、又はその内側部材１４の適切な方向付けを可能にする。典型的には、その方向付けは、好ましい前方角度方向（正面方向）と上方角度方向への方向付けである。異なる使用者の異なる形態に適応するために、制限されたバイアスのかけられているジンバル接続（図示せず）を本体部３０とその上に配置されているインイヤー機器の受入口３２との間に配置する（考慮する）ことができる（後述を参照）。
【００３２】
さらに、ヘッドマウント型装置１０は、一又は二以上のインイヤー機器１６又はその内側部材１４を膨張させる間、その必要な目標圧力を維持する。
【００３３】
インイヤー機器１６又はその内側部材１４の位置取りを改善するために、装置１０は、原位置の音声配信システム（図示されない）を含むことができる。音声配信システムは、音声を、例えば使用者が音を最も可能な限り鮮明であるときにインイヤー機器の良い位置取りが達成されたことを知るように、インイヤー機器１６を通じて伝える。
【００３４】
図１およびより詳しくは図１ａに示されている設定可能な構成材料の送り出し手段１２は、それぞれのインイヤー機器１６のために、ポンプ機構を備えている。ポンプ機構は、メインピストン（図示せず）に接続されている圧縮コイルバネ（図示せず）等に付勢している（バイアスをかけている）蝶番式のレバー２０の形でここに示されている。ポンプ機構は、使用者によって、設定可能な構成材料の、二つに分けられた構成材料の二つの部分の異なる室（チャンバ）又は区画（典型的にはそれぞれの部分について一よりも多い区画がある、図示せず）の中に圧力（典型的には２０ｐｓｉから４０ｐｓｉの間の圧力）をかけるために作動させることができる。圧力は、メインピストンを経由して、そのインイヤー機器の内部部材１４の中への注入の前に加えられる。注入のロックを解除する機構は、典型的にはそれぞれのポンプ機構ごとに一つであり且つここでは回転式つまみ２２（タブ２２）の形で示されており、使用者が起動（注入解放）機構のロックを解除することができる。起動機構は、ここでは、基本的に同時に、設定可能な構成材料の流れを可能にするために異なる区画の壁に穴をあける押しボタン２４として示されており、使用者がインイヤー機器の内側部材１４に設定可能な構成材料の自動注入（それ自体による注入）の送り出しを開始することができる。注入のロック解除機構２２は、典型的には、対応するインイヤー機器内側部材１４が耳に適切に配置される前に、そして、ポンプ機構２０が作動される前に、使用者が不注意に起動機構を開始する（対応するボタン２４を押すこと）ことを防止する。図示されてはいないが、ポンプ機構の動作は、レバー２０を介して区画の中で設定可能な構成材料に加圧すると、注入のロック解除機構２２を開放して操作を可能にする解放機構（図示せず）を含むこともできる。
【００３５】
更に詳細に述べると、その上にインイヤー機器１６の少なくとも一つの膨張していない状態の膨張式内側部材１４を支持するための、ヘッドマウント型支持手段１０は、使用者の頭部Ｈ上に搭載するために適用される本体部３０を備えている。そして、本体部３０は、少なくとも一つ、好ましくは二つの、着脱可能にインイヤー機器１６の膨張していない状態の膨張式内側部材１４を受けいれるためのインイヤー機器の受入口３２を有する。支持手段１０はまた、少なくとも一つの設定可能な構成材料送り出し手段１２を備えている。設定可能な構成材料の送り出し手段１２は、少なくとも一つのインイヤー機器の受入口３２を経由して膨張式の内側部材１４に設定可能な構成材料を送り出すために、本体３０に取り付けられる。
【００３６】
本体部３０は、典型的には、使用者の頭部Ｈの上での支持手段１０の位置を適切に調節することと、インイヤー機器１６若しくはその内部部材１４に設定可能な構成材料を注入する間にそこで要求される目標圧力を維持することと、を目的とした調節機構３４を備えている。調節機構３４は、互いに対して摺動（スライド）可能に取り付けられている２つの弓形の部分３６として示されている。また調節機構は、本体部の、一般に柔軟で弾力的な一部分とすることができる。典型的には、本体部を、インイヤー機器の内側部１４の他のセットをカスタマイズするために再使用することを可能とするために、設定可能な構成材料の送り出し手段１２は、本体部３０に着脱可能に取り付けられる。
【００３７】
図１および１ａに示すように、本体部３０は、典型的には、使用者の頭部Ｈ上で調整可能とするために、お互いに対して可動に取り付けられている二つの側方部分３０’を含む。それぞれの側方部分は、それぞれに対応する設定可能な構成材料送り出し手段１２と、インイヤー機器の受入口３２とを有している。
【００３８】
本発明は、膨張式のインイヤー機器１６若しくはその内側部材１４のための、ヘッドマウント型の調整可能な構成材料送り出しシステムのキット４０に言及する。このキット４０は、少なくとも一つの設定可能な構成材料送り出し手段１２と少なくとも一つのインイヤー機器の膨張式の内側部材１４と、を備える上述したヘッドマウント型支持部材１０を含む。キット４０は、典型的には、イヤホン線アセンブリ４２を含む。図２に示す様に、イヤホン線アセンブリ４２は、その遠位末端４６にＭＰ３音楽プレーヤー等のような音声機器（図示されない）と接続するための音声用コネクタ４４とを有する。また、イヤホン線アセンブリ４２の近接末端４８（左側と右側）に、少なくとも一つ、好ましくは２つの、インイヤー機器１６の外側部材１５を有している。少なくとも一つの外側部材１５は、膨張した内側部材に機械的に接続可能である。それぞれの外側部材１５は、典型的には、使用者の耳の中のインイヤー機器１６を保持することを支援するために、外耳フック１９（外耳用の掛け具）及びそれに類したものを好適に支持する外側カバー１７を含む。
【００３９】
典型的には、いずれか一つのものが必要に応じて新しいものと後から置き換えることが可能であるように、インイヤー機器の外側部材１５は、インイヤー機器の膨張した内側部材１４に着脱可能に接続される。
【００４０】
さらに、最良のものが図３に示されるように、インイヤー機器１６の外側部材１５は、典型的には、使用者のインイヤー機器１６の使用に応じて、そこに例えばラウドスピーカーのような能動部品５０を含む。使用目的によっては、不良の場合に置き換えを可能とするために、または、単に異なる機能および／または特性を有する部品５０の変更のために、能動部品５０は、典型的には保護カバー５２と共に、インイヤー機器外側部材１５に、着脱可能に取り付けることができる。
【００４１】
本発明は、以上述べたように、インイヤー機器の外側部材１５の交換可能な能動部品５０と同様に、交換可能なインイヤー機器の膨張式の内側部材１４を有しているイヤホン線アセンブリ４２に言及する。
【００４２】
本発明の支持手段１０は、例えば配線室１８（図１ａ参照）のように、設定可能な構成材料送り出し手段１２を用いて一度個別に適合されたインイヤー機器１６の適切な使用のために、イヤホン線アセンブリ４２を一体化及び/又は支持することができる。
【００４３】
本発明がある程度の特殊性に関して記載されたが、この開示が例示の目的のみでなされたものであり、本発明は、ここに説明されて図示された実施形態の特徴によって限定されるものではなく、本発明の範囲内に以下の請求項の発明の範囲内にある全ての変化および修正を含むことを理解すべきである。
【図１】
2013516116.tif 000003
【図１ａ】
2013516116.tif 000004
【図２】
2013516116.tif 000005
【図３】
2013516116.tif 000006
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
インイヤー機器（１６）の上の少なくとも一つの膨張していない状態の膨張式内側部材（１４）を支持するための、ヘッドマウント型の支持手段（１０）であって、
−  使用者の頭部（Ｈ）に搭載され、少なくとも一つのインイヤー機器の受入口（３２）を備えている本体部（３０）であって、前記受入口（３２）はそこに少なくとも一つの、前記インイヤー機器（１６）の膨張していない状態の前記膨張式内側部材（１４）を着脱可能に受け入れるためのものである、本体部（３０）と、
−  前記本体部（３２）上に取り付けられている少なくとも一つの自己注入を行う設定可能な構成材料送り出し手段（１２）であって、少なくとも一つのインイヤー機器受入口（３２）を経由して、インイヤー機器（１６）の膨張式内側部材（１４）に設定可能な構成材料を送り届けるための設定可能な構成材料送り出し手段（１２）と、
を備えていることを特徴とするヘッドマウント型の支持手段。
【請求項２】
前記本体部（３０）が、前記手段（１０）を使用者の頭部（Ｈ）の上に調節可能に搭載するための調節機構（３４）を備えていることを特徴とする請求項１記載のヘッドマウント型の支持手段（１０）。
【請求項３】
前記少なくとも一つの設定可能な構成材料送り出し手段（１２）が、前記本体部（３０）に着脱可能に取り付けられていることを特徴とする請求項１記載のヘッドマウント型の支持手段（１０）。
【請求項４】
前記本体部（３０）が、使用者の頭部（Ｈ）の上での調整のためにお互いに対して可動に取り付けられている、二つの側方部分（３０’）を備えていることを特徴とする請求項１記載のヘッドマウント型の支持手段（１０）。
【請求項５】
それぞれの前記側方部分（３０’）が、自己注入を行う設定可能な構成材料送り出し手段（１２）とインイヤー機器受入口（３２）とを有していることを特徴とする請求項４記載のヘッドマウント型の支持手段（１０）。
【請求項６】
それぞれの、それぞれの設定可能な構成材料送り出し手段（１２）が、それぞれの前記側方部分（３０’）に、着脱可能に取り付けられていることを特徴とする請求項５記載のヘッドマウント型の支持手段（１０）。
【請求項７】
ヘッドマウント型の設定可能な構成材料の送り出しシステムのキット（４０）であって、
−  使用者の頭部（Ｈ）に搭載されるための本体部（３０）を含み、且つ少なくとも一つのインイヤー機器の受入口（３２）を有しているヘッドマウント型の支持部材（１０）と、
−  前記少なくとも一つの受入口（３２）に取り付け可能なインイヤー機器（１６）の膨張していない状態の膨張式内側部材（１４）と、
−  前記本体部（３０）上に取り付けられている、少なくとも一つの自己注入を行う設定可能な構成材料送り出し手段（１２）であって、少なくとも一つのインイヤー機器受入口（３２）を経由して、前記インイヤー機器（１６）の前記膨張式内側部材（１４）に設定可能な構成材料を送り届けるための設定可能な構成材料送り出し手段（１２）と、
を備えていることを特徴とするヘッドマウント型の設定可能な構成材料の送り出しシステムのキット。
【請求項８】
前記本体部（３０）が、前記手段（１０）を使用者の頭部（Ｈ）の上に調節可能に搭載するための調節機構（３４）を備えていることを特徴とする請求項７記載のキット（４０）。
【請求項９】
前記少なくとも一つの設定可能な構成材料送り出し手段（１２）が、前記本体部（３０）に着脱可能に取り付けられていることを特徴とする請求項７記載のキット（４０）。
【請求項１０】
前記本体部（３０）が、使用者の頭部（Ｈ）の上での調整のためにお互いに対して可動に取り付けられている、二つの側方部分（３０’）を備えていることを特徴とする請求項７記載のキット（４０）。
【請求項１１】
それぞれの前記側方部分（３０’）が、自己注入を行う設定可能な構成材料送り出し手段（１２）とインイヤー機器の受入口（３２）とを有しており、且つそれぞれのインイヤー機器の受入口（３２）のための、前記インイヤー機器（１６）の少なくとも一つの膨張していない状態の膨張式の内側部材（１４）を有していることを特徴とする請求項１０記載のキット（４０）。
【請求項１２】
それぞれの前記設定可能な構成材料送り出し手段（１２）が、それぞれの前記側方部分（３０’）に、着脱可能に取り付けられていることを特徴とする請求項１１記載のキット（４０）。
【請求項１３】
前記キット（４０）が、イヤホン線アセンブリ（４２）を備えており、
前記イヤホン線アセンブリ（４２）は、遠位末端（４６）に音声機器と接続するための音声用コネクタ（４４）を有しており、且つ近接末端（４８）にインイヤー機器（１６）の膨張した内側部材（１４）と機械的に接続可能である少なくとも一つの外側部材（１５）を有していることを特徴とする請求項７記載のキット（４０）。
【請求項１４】
前記インイヤー機器の外側部材（１５）は、前記インイヤー機器の膨張した内側部材（１４）に、着脱可能な状態で接続可能であることを特徴とする請求項１３記載のキット（４０）。
【請求項１５】
インイヤー機器（１６）の前記外側部材（１５）は、その中に能動部品（５０）を含んでいることを特徴とする請求項１４記載のキット（４０）。
【請求項１６】
前記能動部品（５０）は、インイヤー機器の前記外側部品（１５）の中に着脱可能に取り付けられていることを特徴とする請求項１５記載のキット（４０）。
【請求項１７】
イヤホン線アセンブリ（４２）であって、
遠位末端（４６）に音声機器と接続するための音声用コネクタ（４４）を有しており、且つ近接末端（４８）にインイヤー機器（１６）の少なくとも一つの外側部材（１５）を有しており、
前記インイヤー機器の外側部材（１５）が前記インイヤー機器（１６）の内側部材（１４）と着脱可能な状態で接続されることを特徴とするイヤホン線アセンブリ（４２）。
【請求項１８】
前記インイヤー機器（１６）の前記外側部材（１５）は、その中に能動部品（５０）を含んでいることを特徴とする請求項１７記載のイヤホン線アセンブリ（４２）。
【請求項１９】
前記能動部品（５０）は、インイヤー機器の前記外側部品（１５）の中に着脱可能に取り付けられていることを特徴とする請求項１８記載のイヤホン線アセンブリ（４２）。
【国際調査報告】
2013516116.tif 000007
2013516116.tif 000008
2013516116.tif 000009
2013516116.tif 000010